(57)【要約】【課題】      複数個の回動アームを用いて連窓を開閉する場合、窓の出入りに応じて簡単に回動アームの位置調整をおこなう。【解決手段】      縦框の中間より上部に設けられたヒンジを支点に自在に回動する障子の室内側上框部に平衡重錘を横設した横軸回動窓を開閉する装置に用いられる開閉用で先端にローラを有する回動アームを先端部で２個のパーツに分け、一方側に長穴調整部を設けてローラの位置変更を可能とした回動アーム【選択図】図５
2005076444.tif 000002
【特許請求の範囲】
【請求項１】
縦框の中間より上部に設けられたヒンジを支点に自在に回動する障子の室内側上框部に平衡重錘を横設した横軸回動窓の単窓あるいは２連窓以上の障子を開閉する装置に用いられる開閉用で先端にローラを有する回動アー厶においてこの回動アームの先端部に上記ローラの位置変更用としての移動微調整手段が設けられていることを特徴とする回動アーム
【発明の詳細な説明】
【技術分野】
【０００１】    本発明は連窓設置された横軸回動窓を開閉する装置のアーム先端位置を微調整する装置に関するものである。
【背景技術】
【０００２】    換気方法として従来から行われている最も単純な方法は窓や障子などを開閉して室内空気と外界の空気の入れ換えをする自然換気方法である。当初は人為操作で開閉をおこなってきたが、平衡重錘を障子の上框部分に突設させ、障子の横軸を支点として風や対流などをエネルギーとして自然回動窓による換気を試みた横軸回転窓が提供されるに及んですべて自動で窓開閉され換気がおこなわれることが出来るようになった。【０００３】    この横軸回転窓は遠隔より自動操作するため横軸回転窓の室内側にロッドを設け、ロッドに回転アームを設けて閉窓時にはロッドの回転により回転アームで窓が押圧されるように構成されている。（特許文献１参照）【０００４】
【特許文献１】        特開平１０−１０２９３２号公報  図３〜図７
【発明の開示】
【発明が解決しようとする課題】
【０００５】    しかしながら特許文献１のものは公報の図３に見られるようにアームは窓枠取付部の室内側に水平かつ回転可能に支持したロッドに突設され、ロッドをモータにより回転させることによりアームを障子縦框に押圧する構成であるが、実際の窓枠と障子の間には両者を密閉するためにタイトゴムが周囲に設けられておりゴムの反発力は一定ではないため障子の出入りは左右同じではなく、また２連窓の場合は建て付けの影響もあってか左右の窓が同一規格での製作にもかかわらず実際に組み付けしてみると少しずれが生じたり多少の寸法の異なりがあって隣同士の窓ともその出入りは微妙に異なっている場合が多々ある。【０００６】    一つのロッドでもって複数個のアームを操作すると片方は完全に閉まっているが片方が開き気味といった問題点が多々生じ、そのためアームの根元側（ロッド側）で微調整するが、仮に２００ｍｍの長さのアームを根元部で角度１°ずらすと先端では３．５ｍｍ変位する。全閉時の窓の出入りは肉眼でもっておこなうが出入りが揃う揃わないという判断は数ミリメートル以内の世界であり、根元部で角度１°以下の調整などは非常に困難であるという問題点があった。
【課題を解決するための手段】
【０００７】    本発明はこの問題点を、アームを今までのように一体化したものでなくアームの先端側でローラ付属部とアーム本体部の２つパートに分割し、微調整手段を設けて調整するように工夫することによって解決した。すなわち本発明は縦框の中間より上部に設けられたヒンジを支点に自在に回動する障子の室内側上框部に平衡重錘を横設した横軸回動窓の単窓あるいは２連窓以上の障子を開閉する装置に用いられる開閉用で先端部にローラを有する回動アームにおいてこの回動アームの先端部に上記ローラの位置変更用として移動微調整手段が設けられていることを特徴とする回動アームである。
【発明の効果】
【０００８】    本発明の先端部にローラを有する回動アームはアーム先端側にローラの移動微調整手段を設けているために障子全閉時における窓枠との出入り不良の際には微調整の修正が容易であり、連窓においてもそれぞれの出入りの微調整が容易である。
【実施例】
【０００９】    以下本発明装置を図に基づいて説明すると図１は実施例１の回動アー厶１により障子２の縦框３を押圧して全閉した場合と、また一旦ロッド１０を回動させて回動アーム１を障子２より離した場合の２種類のケースを表わした側面図であり、図２は図１に示した２点鎖線円内の主要部拡大側面図で実施例１の回動アーム先端部における移動調整状況の説明図であり、図３は図２の正面図である。【００１０】    まず、実施例１の構成を説明すると図２、図３に示すようにアーム先端にはウレタンゴム製のローラ４を用い、回動アーム１が先端部側でローラ付属部５とアーム本体部６に分割され、ローラ付属部５とアーム本体部６とが回転軸７を用いて回転可能に軸固定され、ローラ付属部５側に２箇所の調整用長穴８、８が設けられ、アーム本体部６側には２箇所のボルト穴（図示せず）が設けられて微調整移動可能に構成され、調整後両者をボルト９、９により固定することによって一体化することが出来る回動アームで１ある。【００１１】    次に動作を説明すると図１においてロッド１０が閉鎖方向回転してゆくと回動アーム１はまず先端のローラ４が障子２の縦框３に当接し、押圧してゆくため障子２はヒンジ１１を中心に次第に閉じてゆく。障子２が全閉位置に達してもロッド１０は更に回転し、ローラ４を有する第１アーム１２は次第に縦框に沿って上ってゆき第２アーム１３に設けられたストッパ１４に第１アームが当接したとき第１アーム１２と第２アーム１３一直線状になって回動アーム１による全閉動作は終了する。【００１２】    図２において通常状態においては回転軸７の軸中心とローラ４の軸中心とを結んだ線はＢの位置にセットされ、全閉時に隣の回動アーム１による押圧状況に過不足があれば２本のボルト９、９を緩めて調整用長穴８、８によりＡ位置方向あるいはＣ位置方向へローラ４の位置調整を行ない、障子の左右縦框の出入具合、隣同士の障子の出入具合を調整し、調整後ボルト９、９を締めれば良い。【００１３】    次に実施例２について説明する。実施例２は２連で１セットの窓に取り付けする回動アーム１で方立部に軸受ボックス１４を設けて横回動軸１５を配設し、横横回動軸１６の両端に回動アーム１を取り付けして両方の窓を同時に開閉させる装置である。図４は実施例２の開閉装置ユニットの斜視図であり、図５は実施例２の回動アーム１により障子２の縦框３を押圧して全閉した場合と、また一旦横回動軸１６を回動させて回動アーム１を障子２より離した場合の２種類のケースを表わした側面図であり、図５に示した２点鎖線円内を拡大したものは図２と同様である。なお、実施例１と動作作用を同じくするものについては同じ番号を用いる。【００１４】    実施例２の構成を説明すると図２、図３に示すようにアーム先端にはウレタンゴム製のローラ４を用い、回動アーム１が先端部側でローラ付属部５とアー厶本体部６とに分割され、ローラ付属部５とアーム本体部６とを回転軸７を用いて回転可能に軸固定され、ローラ付属部５側に２箇所の調整用長穴８、８が設けられ、アー厶本体部６側には２箇所のボルト穴（図示せず）が設けられて微調整移動可能に構成され、調整後両者をボルト９、９により固定することによって一体化することが出来る回動アーム１である。アーム本体部６には爪の切り欠け部（図示せず）と重ねバネ板による付勢力蓄積装置（図示せず）とが設けられ、横回動軸１６には切り欠け部のついたストッパ（図示せず）が設けられて強風によっても付勢力により簡単には窓が開かない構成になっている。【００１５】    次に動作を説明すると図４、図５において外部動力より軸受ボックス１５に回転が与えられると横回動軸１６が閉鎖方向に回動してゆく。回動アーム１はまず先端のローラ４が障子２の縦框３に当接し、押圧してゆくため障子２はヒンジ１１を中心に次第に閉じてゆく。障子２が全閉位置に達しても横回動軸１６は更に回転し、回動アーム１に設けられた爪の切り欠け部（図示せず）と横回動軸１６に設けられたストッパの切り欠け部（図示せず）とが丁度出会う位置で回動アーム１による全閉動作は終了する。障子２が全閉位置に達した時から互いの切り欠け部同士が出会うまでの間は回動アーム１の内部に設けられた重ねバネ板（図示せず）によって付勢力が蓄えられる。【００１６】    この実施例２の場合もローラ４の微調整要領は全く同じであり、図２において通常状態においては回転軸７の軸中心とローラ３の軸中心とを結んだ線はＢの位置にセットされ、全閉時に隣の回動アーム１による押圧状況が不足であれば２本のボルト９、９を緩めて調整用長穴８、８によりＡ位置方向あるいはＣ位置方向へローラ３の位置調整を行ない、隣同士の障子の出入具合を調整して調整後ボルト９、９を締めれば良い。
【図面の簡単な説明】
【００１７】
【図１】実施例１の取付を示す側面図
【図２】図１に示した２点鎖線円内の主要部拡大側面図
【図３】図２の正面図
【図４】実施例２の開閉装置ユニットの斜視図
【図５】実施例２の取付を示す側面図
【００１８】
【符号の説明】
１  回動アーム
２  障子
３  縦框
４  ローラ
５  ローラ付属部
６  アーム本体部
７  回転軸
８  調整用長穴
１０  ロッド
１１  ヒンジ
１２  第１アーム
１３  第２アーム
１５  軸受ボックス
１６  横回動軸
【図１】
2005076444.tif 000003
【図２】
2005076444.tif 000004
【図３】
2005076444.tif 000005
【図４】
2005076444.tif 000006
【図５】
2005076444.tif 000007